(57)【特許請求の範囲】
【請求項１】
押し下げ操作される噴射ボタンと、その両側を包囲し、かつその高さと同一もしくはより高く延びて互いに対向する両側一対の側壁部とエアゾール容器上端部に装着される基部とを有する本体と、前記噴射ボタンを押し下げ操作位置にロックして残留内容物を噴射させる機構を有するキャップとからなるエアゾール容器用噴射部材あって、
前記噴射ボタンと前記本体の前記側壁部とが切断可能な連結部で隙間を置いて連結された状態で一体成形されており、
前記キャップは、前記側壁部の外周面に着脱自在に嵌合する周壁を備えると共に、その高さ方向の中間位置に前記周壁に対して直交方向へ中間壁が形成され、
この中間壁の一方の面に、前記噴射ボタンを押し下げ操作する操作突起と、両側一対の前記側壁部の内周面にそれぞれ形成された係入溝に係止される爪を曲げ弾性を呈する脚部の先端に備える両側一対の係止爪と、前記周壁の前記側壁部に対する回転位置を規制するように、対向する前記内周面にそれぞれ沿って上方から挿入される両側一対の位置決め壁とを有し、
前記爪が前記内周面の上縁に上方から当接して両側の前記脚部を互いに接近する方向へ撓ませた状態で前記係入溝に係入するように、前記爪の先端面が前記内周面へ向けて上昇する傾斜面として形成され、
前記操作突起の先端が、前記爪が前記係入溝に係止された状態で前記噴射ボタンを押し下げ操作し得る高さに位置設定されていることを特徴とするエアゾール容器用噴射部材。
【請求項２】
中間壁の他方の面に、ガス抜き済みを意味する文字が表示されていることを特徴とする請求項１記載のエアゾール容器用噴射部材。
【発明の詳細な説明】
【０００１】
【発明の属する技術分野】
本発明は、押し下げ操作される噴射ボタンと、その両側を包囲し、かつその高さと同一もしくはより高く延びて互いに対向する両側一対の側壁部とエアゾール容器上端部に装着される基部とを有する本体と、噴射を押し下げ操作位置にロックして残留内容物を噴射させる機構を有するキャップとからなるエアゾール容器用噴射部材に関するものである。
【０００２】
【従来の技術】
特開平１１−３０１７５６号公報によれば、噴射ボタンにボ−ルを内蔵させ、使用後にエアゾ−ル容器を倒立させて噴射ボタンを押すと、自重で落下したボ−ルで噴射ボタンが押し下げ操作位置にロックされることにより、残留した噴射剤或は原液を排出させるガス抜き機能を備えた噴射ボタンが開示されている。
【０００３】
【発明が解決しようとする課題】
これにより、道具無しで残留した内容物を排出できるが、噴射ボタンで押し下げ操作されるエアゾ−ル容器に内蔵のバルブが正倒立式でないと、ガスのみ排出されて原液の排出は不可能となる。また、使用中にエアゾ−ル容器を倒立させた状態で、噴射ボタンが押されると排出状態にロックされる恐れもある。
【０００４】
本発明は、このような点に鑑みて、噴射ボタンから残留内容物を非倒立状態でも排出させ得る別体のキャップが付属したエアゾール容器用噴射部材を提供することを目的とする。
【０００５】
【課題を解決するための手段】
本発明は、この目的を達成するために、押し下げ操作される噴射ボタンと、その両側を包囲し、かつその高さと同一もしくはより高く延びて互いに対向する両側一対の側壁部とエアゾール容器上端部に装着される基部とを有する本体と、噴射ボタンを押し下げ操作位置にロックして残留内容物を噴射させる機構を有するキャップとからなるエアゾール容器用噴射部材あって、噴射ボタンと本体の側壁部とが切断可能な連結部で隙間を置いて連結された状態で一体成形されており、キャップは、側壁部の外周面に着脱自在に嵌合する周壁を備えると共に、その高さ方向の中間位置に周壁に対して直交方向へ中間壁が形成され、この中間壁の一方の面に、噴射ボタンを押し下げ操作する操作突起と、両側一対の側壁部の内周面にそれぞれ形成された係入溝に係止される爪を曲げ弾性を呈する脚部の先端に備える両側一対の係止爪と、周壁の側壁部に対する回転位置を規制するように、対向する内周面にそれぞれ沿って上方から挿入される両側一対の位置決め壁とを有し、爪が内周面の上縁に上方から当接して両側の脚部を互いに接近する方向へ撓ませた状態で係入溝に係入するように、爪の先端面が内周面へ向けて上昇する傾斜面として形成され、操作突起の先端が、爪が係入溝に係止された状態で噴射ボタンを押し下げ操作し得る高さに位置設定されていることを特徴としている。
【０００６】
連結部は、噴射ボタンをエアゾール容器へ装着する際に押し下げ操作可能にするように切断される。エアゾール容器の使用後に、位置決め壁を側壁部の両側の内周面にそれぞれ沿って挿入させることにより回転位置を決めて、キャップを下方へ押すと、係止爪の爪が内周面の上縁に当たって脚部を撓ませて内周面を滑動して係入溝に係入する。この周壁の側壁部の外周面への嵌合過程で、操作突起が噴射ボタンを押し下げ操作して噴射位置にロックする。これにより、噴射剤としての圧縮ガス又は液化ガスが、残留する原液を噴射ボタンから噴射させる。噴射剤が余分に残留する場合でもガス状態で噴射ボタンから噴射される。
【０００７】
【発明の実施の形態】
図１乃至図４を基に本発明の実施の形態による殺虫剤が充填されたエアゾール容器用噴射部材を説明する。この噴射部材は、押し下げ操作される噴射ボタン２０と、エアゾール容器１の上端部に装着されるマウンティングキャップ２に嵌着されたキャップ状の基部１１及びこの基部から上方へ延びて噴射ボタン２０の両側を包囲する両側一対の側壁部１２とを有する本体１０と、噴射ボタン２０を押し下げ操作位置にロックして残留内容物を噴射させる機構を有するキャップ３０とより構成される。
【０００８】
図２に示すように、両側の側壁部１２の外周面１４は同一円上の対向する円弧状であり、噴射ボタン２０よりも僅かに高く延びている。この噴射ボタンは、ステム３に連通する流路２３ａを介して内容物の噴射を行う横向きのノズル２３を備えると共に、その噴射口２１の周囲に拡散制限面２４が凹状に形成されている。また、この噴射ボタンは、両側の側壁部１２の基端部にそれぞれ隙間１６を置いて四方の連結部２５で連結された状態に合成樹脂により一体成形され、エアゾール容器１への装着時に連結部２５は切断される。これにより、噴射ボタン２０が押し下げ操作されると、ステム３のステム孔が開放され、対向する側壁部１２間の隙間１８から噴射が行われると共に、押し下げ操作が解除されると、ステム３に付属の復帰ばねにより通常位置に上動する。
【０００９】
このような本体１０及び噴射ボタン２０の構成は基本的には周知であるが、側壁部１２の対向する両側の内周面１３には、以下に説明するキャップ３０用の係入溝２９が形成されている。
【００１０】
即ち、キャップ３０は、図３に示すように、噴射ボタン２０が装着されたエアゾール容器１の付属品として形成され、側壁部１２の外周面１４に円形の内周面で着脱自在に嵌合する周壁３１を備えると共に、その高さ方向の中間位置には周壁３１に対して中間壁３２が隔壁として形成されている。この中間壁の一方の面には、噴射ボタン２０を中心部で押し下げ操作するパイプ状の操作突起３３と、係入溝２９に係止されるように、切欠き部３４ｄを周囲に備えた両側一対の係止爪３４と、側壁部１２に対する周壁３１の回転位置を規制するように、側壁部１２の凹状の両側の内周面１３の互いに最も接近した前端縁１３ａにそれぞれ沿って上方から隙間１８に挿入される平行な両側一対の位置決め壁３５とが形成されている。
【００１１】
係止爪３４は、位置決め壁３５の外側方において凹状内周面１３の前後方向の中間位置に沿った位置を占めている。また、係止爪３４は爪３４ａを曲げ弾性を呈する脚部３４ｂの先端に備えると共に、爪３４ａの先端面３４ｃは内周面１３の上縁に当接して両側の脚部３４ｂを互いの接近方向へ撓ませるように、内周面１３へ向けて上昇する傾斜面として形成されている。これにより、キャップ３０が側壁部１２の外周面１４に嵌合される過程で、爪３４ａは内周面１３を滑動して係入溝２９に係止される。さらに、操作突起３３の先端は、爪３４ａが係入溝２９に係止された状態で噴射ボタン２０を押し下げ操作させ得る高さに位置設定されている。
【００１２】
中間壁３２の他方の面には、「ガス抜き済み」の文字が表示されると共に、外周面１４に形成されている筋目状ローレットに沿って係合するための筋状の突起３９が分散して形成されている。
【００１３】
使用前の状態では、キャップ３０は、図４に示すように、操作突起３３が上方へ向けられてローレット付き外周面１４に突起３９が係合して側壁部１２に嵌合され、さらにシュリンク包装が行われている。使用時にはキャップ３０を噴射ボタン２０から外して保管しておく。この噴射ボタンを押し下げ操作すると、ステム３から内容物が放出され、ノズル２３から噴射される。
【００１４】
使用が繰返されて噴射圧又は噴射量が低下した時点で、或はエアゾールの使用が不必要になった時点で、キャップ３０を保管場所から持ってきて、図１に示すように、その位置決め壁３５を側壁部１２間の隙間１８に沿って挿入させて回転位置を決めて下方へ押すと、係止爪３４の爪３４ａが脚部３４ｂを撓ませて内周面１３を滑動して係入溝２９に係入する。この過程で、操作突起３３が噴射ボタン２０を押し下げ操作し、押し下げ操作位置にロックする。
【００１５】
これにより、残留する原液が噴射剤で噴射される。残留する大部分が圧縮ガス又は液化ガスの噴射剤であってもガス状に噴射され、エアゾール容器１の内容物は空状態になる。このような操作を行える状態でのキャップ３０の表面には、「ガス抜き済み」が表示されていることにより、第三者でも空であることが確認される。
【００１６】
【発明の効果】
請求項１の発明によれば、ガス抜き用のキャップが別途に保管可能に別体として付属することにより、使用中の誤操作による排出が回避される。エアゾール容器の非倒立状態でキャップを噴射ボタンに嵌合させて押し下げるだけの簡単な操作で残留内容物が排出される。請求項２の発明によれば、キャップ面を利用してガス抜き済みである旨を明示可能であり、第三者であっても使用済み容器を安心して処理できるようになる。
【図面の簡単な説明】
【図１】本発明の実施の形態による噴射部材のガス抜き状態を示すもので、同図Ａはその一部断面にした正面図、同図Ｂは断面図である。
【図２】同噴射部材の噴射ボタンを示すもので、同図Ａは平面図、同図Ｂは断面図である。
【図３】同噴射部材のキャップを示すもので、同図Ａは平面図、同図Ｂは断面図である。
【図４】同噴射部材の使用前の状態の一部断面にした正面図である。
【符号の説明】
１  エアゾ−ル容器
２  マウンティングキャップ
３  ステム
１０  本体
１２  側壁部
２０  噴射ボタン
１３  側壁部の内周面
１４  側壁部の外周面
３０  キャップ
２９  係入溝
３１  周壁
３２  中間壁
３３  操作突起
３４  係止爪
３５  位置決め壁
３４ａ  爪
３４ｂ  脚部
３４ｃ  爪の先端面
【図１】
0003638856.tif 000002
【図２】
0003638856.tif 000003
【図３】
0003638856.tif 000004
【図４】
0003638856.tif 000005